(57)【要約】【課題】自動体外式除細動器（ＡＥＤ）などの緊急医療器具を利用する際は応援を呼ぶ暇も無いほど慌てている場合が多いが、医療・看護スタッフなど医療従事者の協力があると非常に助かる。    また、緊急事態の発見者が関連する医療従事者へ連絡したり呼び出しを行っているとそれだけで貴重な時間を費やしてしまう。  緊急医療器具を利用する際に他の医療従事者の協力を求めるために自動的に通報することを課題とする。  【解決手段】緊急医療器具を所定の場所から移動した時に、移動または取り外しを検出する手段を備え、  検出した情報をナースコール親機及び医療従事者が携帯している携帯端末へ報知する手段と、緊急医療器具の移動経路と到着場所を医療従事者へ報知する手段を備える。  【選択図】図１
2008113182.tif 000002
【特許請求の範囲】
【請求項１】
緊急医療器具を所定の場所に保管する収容部材と、緊急医療器具を前記収容部材から取り外したことを検出する検出装置と、前記検出装置から得られた検出信号を接続するナースコール子機と、前記ナースコール子機からナースコール呼び出しや検出信号をナースコール制御機を経由して受け取るナースコール親機と、前記ナースコール制御機からナースコール呼び出しや検出信号を受け取る医療従事者が携帯している携帯端末と、
で構成されるナースコールシステムにおいて、
前記ナースコール子機から前記ナースコール親機と前記携帯端末へ前記検出信号を送り、緊急医療器具が所定の前記収容部材から取り外されたことを医療従事者へ報知する事を特徴とするナースコールシステム。
【請求項２】
緊急医療器具が所定の前記収容部材から取り外された検出信号を受けた前記ナースコール制御機は予め設定された医療従事者が携帯する前記携帯端末へ報知することを特徴とする請求項１記載のナースコールシステム。
【請求項３】
緊急医療器具または緊急医療器具を運搬する運搬車に無線発信機またはＩＣタグを取り付け、所定場所に取り付けられた無線受信機またはＩＣタグ読取装置が前記無線発信機または前記ＩＣタグから緊急医療器具の識別番号を読み取って病室入り口近傍に設置される廊下灯へ送り、前記廊下灯から前記ナースコール親機と前記携帯端末へ前記識別番号を送信して緊急医療器具の種類と緊急医療器具または緊急医療器具を運搬する運搬車の移動経路と到着場所を医療従事者へ報知する事を特徴とするナースコールシステム。
【発明の詳細な説明】
【技術分野】
【０００１】
本発明は、病院や福祉介護施設で使用されるナースコールシステムに関する。
【背景技術】
【０００２】
周知の様に、病院や福祉介護施設では主に看護師（福祉介護施設では介護士など）と患者が通話する
為のナースコールシステムが設置されている。  このナースコールシステムでは、患者が呼び出しに
使用するナースコール子機が各ベッドに備えられ、ナースステーションにはナースコール親機が設置
されていて、その間で通話できるようになっている。（特許文献１を参照）
【０００３】
近年、ナースコールシステムは看護師と患者の通話だけでなく、患者がナースコール呼び出しを行えない状態でも連絡できる緊急連絡のために使用されるようになってきている。例えば、ナースコールシステムと人工呼吸器を接続して人工呼吸器が停止したり患者が窒息状態になると看護師に異常を通報する。本発明は、病院や福祉介護施設及び高齢者集合住宅などに設置されている自動体外式除細動器（ＡＥＤ：Ａｕｔｏｍａｔｅｄ  Ｅｘｔｅｒｎａｌ  Ｄｅｆｉｂｒｉｌｌａｔｏｒ）を中心とする緊急医療器具を利用する非常事態の際に、自動的に呼び出しが掛かり医療従事者や関係者に応援を要請することが課題である。
【０００４】
心肺停止や致死的不整脈の患者を救命するためには、出来るだけ速やかに自動体外式除細動器を用いて蘇生処置が必要である。  発作から約１分以内に除細動を行うと約９割の患者が社会復帰でき、約３分以内では約７割以上の患者が社会復帰できると言われている。つまり、助かる可能性は１分毎に１０％づつ低下し、１０分経過すると生存の可能性が非常に少なくなると言われている。このような状況では、救助者や協力者が多くいることも重要となる。救助者に通報する例として、心臓疾患のある患者の体内に埋め込まれた植込み医療装置が心臓の異常値を検出すると、救難信号を体外に発信して位置情報を含む救助要求情報を遠隔地へ通報する提案が成されている。（特許文献２を参照）
【特許文献１】特許第２８８７５５２号公報
【特許文献２】特表２００５−５１４１４３号公報
【発明の開示】
【発明が解決しようとする課題】
【０００５】
心肺停止や致死的不整脈の発作を起した患者はほとんどナースコールできない場合が多い。そのため危険性のある患者は心電図などの生体情報監視装置で監視されていて、その情報がナースステーションまで届くようになっている。しかし、全ての患者が生体情報監視装置で見守られている訳ではない。自動体外式除細動器（ＡＥＤ）などの緊急医療器具を利用する際は応援を呼ぶ暇も無いほど慌てている場合が多いが、医療・看護スタッフなど医療従事者の協力があると非常に助かる。また、緊急事態の発見者が関連する医療従事者へ連絡したり呼び出しを行っているとそれだけで貴重な時間を費やしてしまう。本発明は、緊急医療器具を利用する際に他の医療従事者の協力を求めるために自動的に通報することを課題とする。
【課題を解決するための手段】
【０００６】
緊急医療器具は、誰でもすぐに利用できるように所定の場所、所定の収容箱に収容されているかまたは所定の救急カートに搭載されている。  緊急医療器具を所定の場所から移動した時に、移動または取り外しを検出する手段を備え、検出した情報をナースコール親機及び医療従事者が携帯している携帯端末へ報知する手段を備える。
【０００７】
緊急医療器具を所定の場所から移動した時に、移動または取り外しを検出する手段を備え、検出した情報をナースコール親機及び全ての医療従事者ではなく予め設定された医療従事者が携帯している携帯端末へ報知する手段を備える。
【０００８】
緊急医療器具または緊急医療器具を運搬する運搬車（救急カート）に無線発信機またはＩＣタグを取り付ける手段と、所定場所と各病室の入り口に無線受信機またはＩＣタグ読取装置を設け無線発信機またはＩＣタグから発信する緊急医療器具の識別番号を読み取る手段と、無線受信機またはＩＣタグ読取装置が読み取った識別番号の情報を廊下灯へ送信する手段と、廊下灯からナースコール親機と携帯端末へ識別番号を送信する手段と、緊急医療器具の識別番号から緊急医療器具の種類と緊急医療器具または緊急医療器具を運搬する運搬車の移動経路と到着場所を医療従事者へ報知する手段を備える。
【発明の効果】
【０００９】
緊急医療器具を利用すると自動的に医療従事者など関連者に通報するため、通報が速く、すぐに協力者が得られるので処置の手遅れを防げる。
【００１０】
緊急事態の発見者は他の医療従事者へ連絡する手間が省ける。従って、一刻を争う時に時間を無駄にしない。
【００１１】
自動的に医療従事者など関係者に通報するため、協力者が来てくれる安心感がある。
【００１２】
緊急医療器具を勝手に移動されることを防止できる。緊急医療器具は誰でも保管場所を知っていて緊急時に捜すようなことがあってはならない。緊急医療器具を故意に移動する意思は無くても清掃や設備の工事などで移動され、移動されたままにされる可能性もある。緊急医療器具を移動すると関係者へ通報されるので、緊急事態の利用でない移動であるか否かが判明すれば移動されたままになることを防げる。
【発明を実施するための最良の形態】
【００１３】
以下、本発明の一実施形態を図面に基づいて説明する。図１は、緊急医療器具の取り外し、移動を通報することが出来るナースコールシステム全体の構成図を示す。ナースコール子機（７及び８）はベッドサイドに設置され、患者が呼び出しボタンを押すとその呼び出し信号は病室の壁面に取り付けられた壁取り付け子機（６）、病室の入り口近傍に設置された廊下灯（５）、ナースコール通信線（１９）、ナースコール制御機（３）を経由してナースコール親機（２）へ伝えられ、ナースコール親機（２）では鳴動音と共に呼び出し表示が出力される。看護師等が呼出に対して応答すれば、ナースコール親機（２）とナースコール子機（７及び８）との間で通話路が形成されて通話することが出来る。
【００１４】
ナースコール子機（７及び８）からの呼び出しは、ナースコール制御機（３）から構内電話交換機の機能を有するコードレス主装置（４）と無線基地局装置（１８）を経由して医師や看護師など医療従事者の携帯する携帯端末（１７）へと伝送され、ナースコール親機（２）での応答より先に携帯端末（１７）で応答すると、ナースコール子機（７及び８）と携帯端末（１７）の間で通話することができる。
【００１５】
ナースコール呼び出しを始めとする患者情報の処理は処理装置（１）で行われ、処理・収集・集計されたデータはナースコール用ローカルエリアネットワーク（２０）を経由してサーバー（９）へ保存し、データは一元管理される。図１には処理装置（１）は１台のみ記載しているが、他の病棟の処理装置もＬＡＮ（ローカルエリアネットワーク）に接続して、サーバー（９）との間でデータの授受が行われる。
【００１６】
緊急医療器具（１５）は、所定の収容箱（１０）や所定位置に置いてある緊急医療器具運搬車（救急カート）（１４）に保管されている。収容箱（１０）や救急カート（１４）には緊急医療器具（１５）が取り外されたり移動されたことを検知するセンサーを取り付ける。そのセンサーは、緊急医療器具の重さで取り外しや移動を検知する重量センサーや感圧センサー、光の反射や遮蔽を利用して位置の移動を検知する光センサー、緊急医療器具の取り付けワイヤや取り付けチェインが外れたことを検知するセンサー、電波を利用して位置の移動を検知する電波センサー、または収容箱の扉を開いたことを検知する扉スイッチ等いずれを利用しても良い。
【００１７】
取り外し検出装置（１１）及び取り外し・移動検出装置（１２）は、上記の各種センサーのいずれか少なくとも１つを内蔵して緊急医療器具（１５）が取り外されたり、移動されるとナースコール子機（７及び８）または壁取り付け子機（６）へ検知した信号を送る。取り外し・移動検出装置（１２）は、緊急医療器具（１５）の取り外しだけでなく移動したことも検出する。例えば、感圧マット上に置かれた救急カートが移動して、救急カートの圧力を感知しなくなったことで移動したことを知る。緊急医療器具（１５）が複数種類あれば、取り外し検出装置（１１）及び取り外し・移動検出装置（１２）は、その種類を識別するために識別番号を付加して壁取り付け子機（６）等へ送る。
【００１８】
取り外しや移動を検知した信号を受けた廊下灯（５）は、警報灯を点灯または点滅して他の医療従事者に知らせると共に、ナースコール制御機（３）を経由してナースコール親機（２）と携帯端末（１７）へ送信する。ナースコール親機（２）と携帯端末（１７）は、緊急医療器具（１５）が利用された場所及び緊急医療器具の種類（識別番号から判断できる）を表示し、鳴動音を発して医療従事者に報知する。
【００１９】
緊急医療器具の取り外しや移動が本来の利用目的以外の場合は、廊下灯（５）または取り外し検出装置（１１）または取り外し・移動検出装置（１２）に信号をリセットする復旧ボタンを設け、復旧ボタンを押すことで警報は解除される。
【００２０】
緊急医療器具の取り外しや移動を全ての携帯端末（１７）へ通知することも可能であるが、特定の医療従事者のみへ通知することも出来る。図２は、緊急医療器具と連絡先一覧表の一例を示す。ナースコール親機（２）の操作部や処理装置（１）の表示・操作部において設定することができ、そのリストはナースコール制御機（３）の記憶部に保存される。緊急医療器具の種類や利用場所に拠って連絡先を変える事が可能である。連絡先は、携帯番号が登録されたり、看護師名や医師名が登録される。看護師名や医師名の登録の場合は、別に登録されている医療従事者と携帯番号のリストを参照する。ナースコール制御機（３）は、緊急医療器具の取り外しや移動を検知した信号を受けとると、記憶部に保存してある連絡先一覧表を参照して、コードレス主装置（４）に連絡先番号を指定して呼び出しを掛ける。
【００２１】
図３は、緊急医療器具の移動経路を示す図である。所定の場所にＩＣタグ読取装置（１３）または無線受信機（図示していない）を設置して緊急医療器具の取り付けられたＩＣタグ（１６）または無線送信機（図示していない）から近くを通過する際に識別番号を含めた無線信号を受けて、緊急医療器具の移動経路を知ることができる。
【００２２】
ＩＣタグ読取装置（１３）で読み取られた緊急医療器具の識別番号は廊下灯（５）へ送られ、さらにナースコール制御機（３）を経由してナースコール親機（２）と携帯端末（１７）へ送信する。
【００２３】
図３では、Ｎｏ１からＮｏ２、Ｎｏ３、Ｎｏ４へと移動したことが近くを通過した際に緊急医療器具の取り付けられたＩＣタグ（１６）をそれぞれの位置のＩＣタグ読取装置（１３）で読み込むことで判明する。各病室の入り口（図３ではＮｏ４に当る）にもＩＣタグ読取装置（１３）を設置することで入室場所が判る。ナースコール親機（２）と携帯端末（１７）では、経路表示と到達した場所が示されるので、応援者はその場所へ急行することができる。
【００２４】
無線送信機の場合は、電池での駆動が必要であるため保管時は電池の消耗がないように電源が投入されず、移動したことを検知して自動的に電源が投入されることが望ましい。ＩＣタグの場合は、ＩＣタグ読取装置（１３）の誘導起電力を利用するのでＩＣタグには電池は不要である。
【００２５】
本発明は、病院や福祉介護施設だけにとどまらず、高齢者集合住宅でも利用可能である。この場合は、通報先が管理センターなどになる。
【図面の簡単な説明】
【００２６】
【図１】ナースコールシステムの全体構成
【図２】緊急医療器具と連絡先一覧表
【図３】緊急医療器具の移動経路の説明図
【符号の説明】
【００２７】
１    処理装置
２    ナースコール親機
３    ナースコール制御機
４    コードレス主装置
５    廊下灯
６    壁取り付け子機
７    ナースコール子機（握り押しボタン形）
８    ナースコール子機（ハンド形）
９    サーバー
１０    緊急医療器具の収容箱
１１    取り外し検出装置
１２    取り外し・移動検出装置
１３    ＩＣタグ読取装置
１４    緊急医療器具運搬車（救急カート）
１５    緊急医療器具
１６    ＩＣタグ
１７    携帯端末
１８    無線基地局装置
１９    ナースコール通信線
２０    ナースコール用ローカルエリアネットワーク（ＬＡＮ）
【図１】
2008113182.tif 000003
【図２】
2008113182.tif 000004
【図３】
2008113182.tif 000005